(57)【要約】【課題】付着力を失いにくく、突出部分が小さく、さらに１種類の部材を用意すれば足りるような裾調節具を有する衣服を提供する。【解決手段】複数の裾調節具２を取り付けた衣服、例えばズボン１である。前記各裾調節具２は、テープ生地２２と、このテープ生地２２よりも下方及び上方のいずれかに設けられた単片生地２１からなる。前記単片生地２１は単一のファスナ片２３を有し、前記テープ生地２２は複数のファスナ片２４を有する。前記単片生地及びテープ生地の表面側は合成樹脂製の円柱状突起２５を有する。【選択図】図５
2018035457.tif 000002
【特許請求の範囲】
【請求項１】
複数の裾調節具（２）を取り付けた衣服（１）であって、
前記各裾調節具（２）は、テープ生地（２２）と、このテープ生地（２２）よりも下方及び上方のいずれかに設けられた単片生地（２１）からなり、
前記単片生地（２１）は単一のファスナ片（２３）を有し、
前記テープ生地（２２）は複数のファスナ片（２４）を有しており、
前記各ファスナ片（２３，２４）は、前記単片生地（２１）及びテープ生地（２２）の表面側に合成樹脂製の円柱状突起（２５）を有する
ことを特徴とする衣服（１）。
【請求項２】
前記単片生地（２１）及びテープ生地（２２）は裏面側に少なくとも１枚の合成樹脂製の薄板（２６）を有し、前記円柱状突起（２５）と前記薄板（２６）は、前記生地（２１，２２）の織目又は編目を通して一体化されている請求項１記載の衣服（１）。
【請求項３】
前記ファスナ片（２３，２４）における小突起（２５）の配列は、１ブロック当たり、縦方向（又は横方向）に（ｎ個、ｎ−１個、ｎ個、ｎ−１個、．．．）の繰り返しからなる複数列である請求項１または２記載の衣服（１）。
【請求項４】
前記単片生地（２１）側のファスナ片（２３）と前記テープ生地（２２）側のファスナ片（２４）が、方向性を有するものである請求項１〜３のいずれかに記載の衣服（１）。
【請求項５】
衣服がズボン、スカート、キュロット、着物の内のいずれかである請求項１〜４のいずれかに記載の衣服（１）。
【請求項６】
衣服がズボンであるとき、方向性を有する前記裾調節具（２）が、ズボン１本あたり２個所に設けられており、一方の裾調節具は裾から股下へ向かい、他方の裾調節具は股下から裾へ向かうように設定されている請求項５記載の衣服（１）。
【請求項７】
複数の裾調節具（２）を取り付けた衣服（１）における、前記裾調節具（２）の使用法であって、
前記各裾調節具（２）は、テープ生地（２２）と、このテープ生地（２２）よりも下方及び上方のいずれかに設けられた単片生地（２１）からなり、前記単片生地（２１）は単一のファスナ片（２３）を有し、前記テープ生地（２２）は複数のファスナ片（２４）を有しており、前記各ファスナ片（２３，２４）は、前記単片生地（２１）及びテープ生地（２２）の表面側に合成樹脂製の円柱状突起（２５）を有するものを用意する工程と、
前記小突起（２５）の列を上下にずらしてから前記ファスナ片同士（２３、２４）を重ねることにより、裾の長さを微調節する工程と
を有することを特徴とする前記裾調節具（２）の使用法。
【発明の詳細な説明】
【技術分野】
【０００１】
本発明は裾調節具を有する衣服及びその使用法に関する。衣服としては、例えば、ズボン、スカート、キュロット、着物、等に使用可能である。以下では、ズボンを例にして説明する。
【背景技術】
【０００２】
ズボンの裾の長さ調節は、一般に、裾の長さを適正位置に調整した後、糸を使用して裾部分を縫い込むことにより行っている。しかし、成長期の子供が着用するズボンや貸衣装など複数の人が使用するズボンなどの場合、頻繁に裾の長さ調節が必要となるが、そのたびに裾の長さを調整して糸で縫うのは面倒である。また、そのようにして裾の長さ調整を繰り返し行なうと次第に布地を傷めてしまう。  
【０００３】
この問題を解決するため、複数のファスナ片をズボンの裾周辺の内側に取り付けるという考案が公知である。付着したファスナ片同士を外して裾の長さを調整し、その後、再び付着させることにより、簡便に裾の調節をすることができる。ファスナ片としてはフックとループからなる面ファスナ（例えば、特開平９-３１６７０９号）、糸付ボタン（例えば、意匠登録第１４５７８３０号）、スナップファスナ（例えば、特開２００２―１１５１１２）などがある。
【先行技術文献】
【特許文献】
【０００４】
【特許文献１】特開平９-３１６７０９号
【特許文献２】意匠登録第１４５７８３０号
【特許文献３】特開２００２―１１５１１２
【発明の概要】
【発明が解決しようとする課題】
【０００５】
ズボンの裾周辺は埃などがたまりやすいので、フックとループからなる面ファスナは埃などの付着により付着力を失いやすい。糸付ボタンは比較的に大きな突起物（ボタン）が突出するので、身体に接触すると異物感をもたらしやすい。スナップファスナは雌雄部材を合体させるので、２種類の部材を用意しなければならない。
【０００６】
本発明は、これらの問題を解決するために行われたもので、付着力を失いにくく、突出部分が小さく、さらに１種類の部材を用意すれば足りるような裾調節具を取り付けたズボンを提供することを目的とする。
【課題を解決するための手段】
【０００７】
上記課題を解決する本発明は、複数の裾調節具２を取り付けた衣服１であって、前記各裾調節具２は、テープ生地２２と、このテープ生地２２よりも下方及び上方のいずれかに設けられた単片生地２１からなり、前記単片生地２１は単一のファスナ片２３を有し、前記テープ生地２２は複数のファスナ片２４を有しており、前記各ファスナ片２３，２４は、前記単片生地２１及びテープ生地２２の表面側に合成樹脂製の円柱状突起２５を有することを特徴とする。単片生地２１とテープ生地２２は分離している方が使いやすいが、一体化して１本のテープ状態となっていてもよい。
【０００８】
好ましくは、前記単片生地２１及びテープ生地２２は裏面側に少なくとも１枚の合成樹脂製の薄板２６を有し、前記円柱状突起２５と前記薄板２６は、前記生地２１，２２の織目又は編目を通して一体化されている。
【０００９】
好ましくは、前記ファスナ片２３，２４における小突起２５の配列は、１ブロック当たり、縦方向（又は横方向）に（ｎ個、ｎ−１個、ｎ個、ｎ−１個、．．．）の繰り返しからなる複数列である。
【００１０】
好ましくは、前記単片生地２１側のファスナ片２３と前記テープ生地２２側のファスナ片２４が、方向性を有するものである。
【００１１】
衣服がズボンであるとき、好ましくは、その方向性を有する前記裾調節具２が、ズボン筒部１本あたり２個所に設けられており、一方の裾調節具は裾から股下へ向かい、他方の裾調節具は股下から裾へ向かうように設定されている。
【００１２】
本発明は、複数の裾調節具２を取り付けた衣服１における、前記裾調節具２の使用法を含む。この方法においては、前記各裾調節具２は、テープ生地２２と、このテープ生地２２よりも下方及び上方のいずれかに設けられた単片生地２１からなり、前記単片生地２１は単一のファスナ片２３を有し、前記テープ生地２２は複数のファスナ片２４を有しており、前記各ファスナ片２３，２４は、前記単片生地２１及びテープ生地２２の表面側に合成樹脂製の円柱状突起２５を有するものを用意する工程と、前記小突起２５の列を上下にずらしてから前記ファスナ片同士２３、２４を重ねることにより、裾の長さを微調節する工程と、を有することを特徴とする。
【００１３】
以下、添付の図面に基づき、より詳しく本発明の実施例を説明する。
【発明の効果】
【００１４】
本発明によれば、裾調節具のファスナ片として、雌雄同体の合成樹脂製の円柱状突起を有するものを使用する。その結果、フックとループからなる面ファスナと異なり、埃が付着しても付着力を失いにくい。また、円柱状突起は小さく、その頂上部は全体として平面的であり、身体に接触しても異物感を与えにくい。さらに雌雄同種類のファスナなので１種類の部材を用意すれば足りる。
【００１５】
本発明の使用法によれば、小突起の列を上下にずらしてからファスナ片同士を重ねることにより、裾の長さをミリ単位で正確に微調節することができる。
【図面の簡単な説明】
【００１６】
【図１】本発明の１実施例に係る裾調節具を取り付けたズボンを裏返してみた状態の斜視図である。
【図２】図１の裾調節具の（ａ）正面図、（ｂ）背面図、（ｃ）側面図である。
【図３】（ａ）図２のＡ−Ａ線拡大図、（ｂ）図２のＢ−Ｂ線拡大図、（ｃ）図２のＣ−Ｃ線拡大図、（ｄ）図３のＤ−Ｄ断面図である。
【図４】裾調節具の（ａ）付着前の断面図、（ｂ）付着後の断面図である。
【図５】裾調節具の付着前の斜視図である。
【図６】（ａ）〜（ｄ）は裾調節具の別の使用法を示す断面図である。
【発明を実施するための形態】
【００１７】
図１に示すように、裾調節具２はズボン１の左右筒部１１，１１の裾部１２に取り付けられる。一般には、内側の脇縫い部１３に１つずつ合計４つ取り付けられることが多いが、その数や取付位置は必要に応じて変更することができる。
【００１８】
各裾調節具２は２つの部品からなる。１つは裾の最下端に設けられた単片生地２１であり、もう１つは裾の周辺部に設けられたテープ生地２２である。単片生地２１には１個のファスナ片２３が設定され、テープ生地２２には複数個（図面では４個）のファスナ片２４が設定される。単片生地２１とテープ生地２２は分離している方が使いやすいが、一体化して１本のテープ状態となっていてもよい。
【００１９】
各ファスナ片２３、２４は、例えば正方形、長方形、円形、楕円形、五角形・六角形等の多角形、その他不定形とすることができるが、図示の実施例では長方形から２か所の角部を落としたものである、方向性を有している。
【００２０】
方向性を持たせたとき、それを目印にして裾調節具２に特定方向の配列をさせることができる。例えば、１本のズボン筒部の２個所の脇縫い部１３において、一方は裾から股下へ向かい、他方は股下から裾へ向かうように設定することができる。
【００２１】
各ファスナ片２３，２４は、図２に示すようなブロック状の合成樹脂製面ファスナである。図５にその斜視図を示す。このテープ状面ファスナは同一種類のものが雄部材としても雌部材としても使用される。輪郭形状も雌雄同一であることが成形上好ましい。使用する合成樹脂としては、熱可塑性樹脂、例えばポリエーテルエステルエラストマー（「ハイトレル」（商標）など）やポリアセタール樹脂が挙げられる。
【００２２】
ファスナ片２３，２４は、生地表面２２からブロック単位に起立する複数の円柱状小突起２５を有する。各小突起２５は、図３（ｃ）（ｄ）に示すように、先端の最も太い部分２５１は首部２５２に比べてやや直径が大きい。最先端は先細りになって係合しやすくしている。生地２２に接する位置には小さなベースが設けられている。ある実施例では、１ブロックの大きさは、縦１０．６mm、横１２．６mmであった。１小突起の高さは２mm、直径は先端膨出部で２．０mm、首部で１．９８mmであった。
【００２３】
図３の実施例では、１つのファスナ片当たり、縦方向に３個ずつ５列の小突起２５を有し、横方向に、２個、３個、２個、３個からなる６列の小突起を有するので、全体としては１５個の小突起が形成されている。
【００２４】
各ブロック状ファスナ片における小突起２５の配列は、１ブロック当たり、縦方向（又は横方向）に（ｎ個、ｎ−１個、ｎ個、ｎ−１個、．．．）の繰り返しからなる複数列とすることが好ましい（添付の図２、図３参照）。
【００２５】
このようにすることにより、小突起２５同士は、縦横方向の間隔Ｌ１の方が４５°斜め方向の間隔Ｌ２よりも広くなる。図４に示すように、相手側のファスナ片と係合したとき、相手側の小突起２５は縦横方向の間隔Ｌ１に入り込み、斜め方向の間隔Ｌ２には入り込むことがない。そのため、ブロック同士がずれずに完全に重なる（添付の図４（ｂ）参照）。
【００２６】
このようなファスナ片を有する生地テープ同士を付着させると、両者の小突起２５同士がスライドしながらはまりあい、摩擦係合する（図４（ｂ））。しかし、生地テープ２２を手で持ってある程度以上の力を入れて引き剥がすと、分離可能である。
【００２７】
単片生地２１及びテープ生地２２としては、溶融されることなく溶融樹脂が透過する生地であることが必要で、織物でも編物でもよく、例えば木綿生地、混紡生地等を採用することができる。合成樹脂はテープ生地の織目や編目を透過して裏面にも露出し、１ブロック当たり少なくとも１枚の薄板２６を形成する。
【００２８】
この薄板２６に柔軟性を持たせるため、表面側に小突起２５がない部分において複数のテープ露出部２７を設けることが好ましい。この実施例では１３個所でテープ生地が露出している。テープ露出部の面積を多くして、極端な場合、表面側に小突起がある部分に対応する数の薄板を設けることも可能である。
【００２９】
このようなファスナ片を使用して、図1に示すように、裾先端の単片生地２１には１個のファスナ片２３を設け、テープ２２には複数個（図面では４個）のファスナ片２４を設けることができる。
【００３０】
裾の長さを調節するには、裾先端のファスナ片２３を持ち上げてテープ側のファスナ片２４のうちの１つを選択して付着させればよい。裾の長さを変更するには、今まで付着していたファスナ片同士２３，２４を外して、裾の長さを調節した後で、裾先端のファスナ片２３を新たなテープ２２側のファスナ片２４と付着させる。
【００３１】
このとき、方向性のあるホームベース状のファスナ片を使用すると、図５のように上下逆向きに配置されるので、ぴったり重なって無駄がない。
【００３２】
この裾調節具の別の使用法として、裾先端のファスナ片２３と、テープ側のファスナ片２４をぴったり重ねるのではなく、小突起２５の列をずらして重ねることもできる。図６において、（ａ）がぴったりと重ねたときであり、（ｂ）はファスナ片２３を上方に１列ずらした時、（ｃ）はファスナ片２３を２列上方にずらしたときを示している。（ｄ）はファスナ片２３を逆に２列下方にずらしたときを示す。このように小突起２５の列を上下にずらしてからファスナ片同士２３、２４を重ねることにより、あたかも目盛が付いているかのように、裾の長さをミリ単位で正確に微調節することができる。
【符号の説明】
【００３３】
１     衣服（ズボン）
１１   ズボンの左右筒部
１２   ズボンの裾部
１３   ズボンの脇縫い部
２     裾調節具
２１   単片生地
２２   生地テープ
２２   テープ
２３，２４    ファスナ片
２５   円柱状小突起
２５１ 部分
２５２ 首部
２６   薄板
２７   テープ露出部
Ｌ１   間隔
Ｌ２   間隔
【図１】
2018035457.tif 000003
【図２】
2018035457.tif 000004
【図３】
2018035457.tif 000005
【図４】
2018035457.tif 000006
【図５】
2018035457.tif 000007
【図６】
2018035457.tif 000008